(57)【要約】【課題】  取付け時には建築物の壁に直接固定できてさらに作業性がよく、またメンテナンス時も作業性がよい雨樋集水ますを提供する。【解決手段】  雨樋集水ます本体２と、雨樋集水ます本体２の上部開口２１に嵌合取付け可能な上蓋３とからなり、雨樋集水ます本体２の後面部２２には、横引排水管接続用の挿入口２３を有するとともに、固定具６を挿入して建築物の壁７と直接固定するための固定孔を有する雨樋集水ます１であって、雨樋集水ます本体２の上部開口２１縁よりも上方に突出するように雨樋集水ます本体２の後面部２２から延設された突起片２４に固定孔２５が穿設されている。【選択図】図１
2008180040.tif 000002
【特許請求の範囲】
【請求項１】
雨樋集水ます本体と、雨樋集水ます本体の上部開口に嵌合取付け可能な上蓋とからなり、雨樋集水ます本体の後面部には、横引排水管接続用の挿入口を有するとともに、固定具を挿入して建築物の壁と直接固定するための固定孔を有する雨樋集水ますであって、
雨樋集水ます本体の上部開口縁よりも上方に突出するように雨樋集水ます本体の後面部から延設された突起片に固定孔が穿設されていることを特徴とする雨樋集水ます。
【請求項２】
上蓋に、固定孔に挿入する固定具の頭部を格納する凹部が設けられていることを特徴とする請求項１に記載の雨樋集水ます。
【発明の詳細な説明】
【技術分野】
【０００１】
本発明は、雨樋集水ますに関するものである。
【背景技術】
【０００２】
雨水等の排水をベランダや屋上等から屋外へと導く際には、まずベランダや屋上等に設けられた排水溝から建築物を貫通する横引排水管に送られ、次いで、雨樋集水ますを介して縦樋へと送られて排出される。このような雨樋集水ますは、一般的には、建築物の壁から突出している横引排水管を雨樋集水ますの挿入口に接続し、縦樋を雨樋集水ますの排出口に接続することで支えられていて、雨樋集水ますと建築物の壁とは直接的には固定されていない。したがって、風等による揺れで縦樋を固定している控金具が外れたり、さらには縦樋が雨樋集水ますから外れてしまうという問題点を有する。そして、この問題点を解決するためには、雨樋集水ますと建築物の壁を直接的に固定する必要がある。例えば、雨樋集水ますの後面部に穴を穿設した雨樋集水ますを用いて、雨樋集水ますの後面部と建築物の壁とをビス等で固定することも考えられるが、雨樋集水ますの中に手を入れて行うビス止め作業は、作業がしにくく手間が掛かり、また高所の不安定な場所で作業するため、安全性にも問題があった。
【０００３】
このため、特許文献１のように、建築物の壁に、予め固着片が突出した固定板を配置し、固定板に雨樋集水ますを引っ掛け、次いで上部から上蓋と固着片をビス止めすることも考えられる。しかしながら、メンテナンス時には、溜まったゴミ等を取り出すのに雨樋集水ますの内部に手を入れて作業を行うため、雨樋集水ます内部に固着片が突出していると、中が見えにくい上、手を入れにくく、かえってメンテナンス時には作業の妨げとなってしまう。
【特許文献１】特開平１１−１７２８６６号公報
【発明の開示】
【発明が解決しようとする課題】
【０００４】
本発明は、以上の通りの事情に鑑みてなされたものであり、取付け時には建築物の壁に直接固定できてさらに作業性がよく、またメンテナンス時も作業性がよい雨樋集水ますを提供することを課題としている。
【課題を解決するための手段】
【０００５】
本発明は、上記の課題を解決するために、第１には、雨樋集水ます本体と、雨樋集水ます本体の上部開口に嵌合取付け可能な上蓋とからなり、雨樋集水ます本体の後面部には、横引排水管接続用の挿入口を有するとともに、固定具を挿入して建築物の壁と直接固定するための固定孔を有する雨樋集水ますであって、雨樋集水ます本体の上部開口縁よりも上方に突出するように雨樋集水ます本体の後面部から延設された突起片に固定孔が穿設されていることを特徴としている。
【０００６】
第２には、上蓋に、固定孔に挿入する固定具の頭部を格納する凹部が設けられていることを特徴としている。
【発明の効果】
【０００７】
上記第１の発明によれば、雨樋集水ます本体の上部開口縁よりも上方に突出するように雨樋集水ます本体の後面部から延設された突起片に、固定穴が穿設されていることによって、雨樋集水ますの内部に手を入れてビス止め等の固定作業を行う必要がなく、容易に雨樋集水ます本体と建築物とが直接固定することができる。また、上記特許文献１のように固着片が内部に突出するようなこともないため、内部が見えやすく、さらに内部に手を入れやすいため、メンテナンス作業も容易に行うことができる。
【０００８】
また、上記第２の発明によれば、ビス等の固定具の頭部が上蓋と干渉しないため、上蓋や雨樋集水ます本体が固定具の頭部の存在によって歪んだ状態となることもなく、上蓋を雨樋集水ます本体に嵌合取付けできる。また、固定具は頭部が小さいものでなくても用いることができる。
【発明を実施するための最良の形態】
【０００９】
以下、本発明の雨樋集水ますについて詳しく説明する。
【００１０】
図１は、本発明の雨樋集水ますの一実施形態の後方斜視図である。
【００１１】
図２は、本発明の雨樋集水ますの一実施形態の前方斜視図である。
【００１２】
図３は、本発明の雨樋集水ますの一実施形態の上蓋取付け状態の後方斜視図である。
【００１３】
図４は、本発明の雨樋集水ますの一実施形態の建築物の壁に取付けた後の側面図である。
【００１４】
なお、本発明における前後方向の定義としては、雨樋集水ますから見て建築物側を後、その逆を前とし、その他はこの定義に従って相対的に前方向か後方向かで判断し、記載している。
【００１５】
図１、２のように、本発明の雨樋集水ます１は、雨樋集水ます本体２と、雨樋集水ます本体２の上部開口２１に嵌合取付け可能な上蓋３とからなり、雨樋集水ます本体２の後面部２２には、横引排水管接続用の挿入口２３を有するとともに、図４のように、固定具６を挿入して建築物の壁７と直接固定するための固定孔２５を有する雨樋集水ます１であって、本発明の雨樋集水ます１の特徴は、雨樋集水ます本体２の上部開口２１縁よりも上方に突出するように雨樋集水ます本体２の後面部２２から延設された突起片２４に固定孔２５が穿設されている点である。また、一般的な雨樋集水ますと同様に、雨樋集水ます本体２は、縦樋接続用の排水口２６を有することは言うまでもない。
【００１６】
また、本発明は、図１の上蓋３のように、固定孔２５に挿入する固定具６の頭部を格納する凹部３１が設けられていることも特徴としている。
【００１７】
以上のような特徴を有していれば、細部の形状等は特に制限されない。
【００１８】
例えば、図１〜３のように、雨樋集水ます本体２に係合穴２７、上蓋３に係合片３２を設けて、係合穴２７と係合片３２を係合させれば、雨樋集水ます本体２と上蓋３はより強固な取付けが可能となり好適に用いることができる。
【００１９】
また、図１のように、雨樋集水ます本体２の後面部２２の横引排水管接続用の挿入口２３は、後面部２２の上端まで形成されていてもよい。このことによって、横引排水管にエルボ等が接続されていても、切欠きを行って雨樋集水ます本体２に挿入するという面倒な作業を行う必要がなくなり、好適に用いることができる。
【００２０】
そして、図１、２の雨樋集水ます本体２に上蓋３を嵌合取付けさせると、図３のようになる。また、建築物の壁への取付け後は、図４のように、雨樋集水ます本体２は、横引排水管４、縦樋５に接続されるとともに、雨樋集水ます本体２の固定孔２５に固定具６を挿入して建築物の壁７と固定される。
【００２１】
図１、２、４のように、雨樋集水ます本体２の上部開口２１縁よりも上方に固定孔２５があるため、雨樋集水ます１の内部に手を入れてビス止め等の固定作業を行う必要がなく、固定具６の挿入は容易である。そして、図４のように、雨樋集水ます本体２と建築物の壁７とが直接固定することができ、安定性が高くなる。また、図４のように、固定具６の頭部が上蓋３の凹部３１に格納されるので、固定具６の頭部と上蓋３が干渉せず、雨樋集水ます本体２や上蓋３が固定具６の頭部の存在によって歪んだ状態となることもなく、上蓋３を雨樋集水ます本体２に嵌合取付けできる。また、固定具６は頭部が小さいものに限定されることもなくなる。
【００２２】
以上のような本発明によって、取付け時には建築物の壁に直接固定できてさらに作業性がよく、またメンテナンス時も作業性がよい雨樋集水ますが提供されるのである。
【図面の簡単な説明】
【００２３】
【図１】本発明の雨樋集水ますの一実施形態の後方斜視図である。
【図２】本発明の雨樋集水ますの一実施形態の前方斜視図である。
【図３】本発明の雨樋集水ますの一実施形態の上蓋取付け状態の後方斜視図である。
【図４】本発明の雨樋集水ますの一実施形態の建築物の壁に取付けた後の側面図である。
【符号の説明】
【００２４】
１  雨樋集水ます
２  雨樋集水ます本体
２１  上部開口
２２  後面部
２３  横引排水管接続用の挿入口
２４  突起片
２５  固定孔
２６  縦樋接続用の排水口
２７  係合穴
３  上蓋
３１  凹部
３２  係合片
４  横引排水管
５  縦樋
６  固定具
７  建築物の壁
【図１】
2008180040.tif 000003
【図２】
2008180040.tif 000004
【図３】
2008180040.tif 000005
【図４】
2008180040.tif 000006